(57)【要約】【課題】  薄型化、小型化が可能であって、放射光にコネクタの影が発生しにくく、器具本体の長手方向に亘って略均一な放射光を出射可能な照明器具を提供する。【解決手段】  照明器具１は、長形の基板６と、基板６の長手方向の両端側６ｂ，６ｃにおける間隔Ｌ１が基板６の長手方向の中央側における間隔Ｌ４よりも小さくなるように配置されている複数個のＬＥＤ素子７と、基板６の長手方向の両端側６ｂ，６ｃにおけるＬＥＤ素子７，７間であって基板６の短手方向のＬＥＤ素子７よりも端側６eに配設されている複数個のコネクタ８と、を有する発光体２と、ＬＥＤ素子７に電力を供給してＬＥＤ素子７を点灯する電源装置４と、電源装置４を背面側に配設し、発光体２をコネクタ８が電源装置４側に位置するようにして前面側に配設している器具本体３と、ＬＥＤ素子７の放射光が外部空間に出射するように器具本体３に取り付けられた透光性のカバー５と、を具備している。【選択図】図２
2013143215.tif 000002
【特許請求の範囲】
【請求項１】
長形の基板と、この基板の一面側に前記基板の長手方向に直列接続されて実装されているとともに、前記基板の長手方向における間隔が異なるように配置されている複数個のＬＥＤ素子と、前記基板の一面側において前記ＬＥＤ素子に接続されているとともに、前記間隔が相対的に小さい前記ＬＥＤ素子間であって前記基板の短手方向の前記ＬＥＤ素子よりも端側に配設されているコネクタと、を有する発光体と；
出力側がリード線を介して前記コネクタに接続され、前記ＬＥＤ素子に電力を供給して前記ＬＥＤ素子を点灯する電源装置と；
前記発光体および前記電源装置を収納し、前記電源装置を背面側に配設し、前記発光体を前記コネクタが前記電源装置側に位置するようにして前面側に配設している器具本体と；
前記ＬＥＤ素子の放射光が外部空間に出射するように前記器具本体に取り付けられた透光性のカバーと；
を具備していることを特徴とする照明器具。
【請求項２】
長形の基板と、この基板の一面側に前記基板の長手方向に直列接続されて実装されているとともに、前記基板の長手方向の両端側における間隔が前記基板の長手方向の中央側における間隔よりも小さくなるように配置されている複数個のＬＥＤ素子と、前記基板の一面側において両端のそれぞれの前記ＬＥＤ素子にそれぞれ接続されているとともに、前記基板の長手方向の両端側における前記ＬＥＤ素子間であって前記基板の短手方向の前記ＬＥＤ素子よりも端側に配設されている複数個のコネクタと、を有する複数個の発光体と；
出力側がリード線を介して前記コネクタに接続され、前記ＬＥＤ素子に電力を供給して前記ＬＥＤ素子を点灯する電源装置と；
前記発光体および前記電源装置を収納し、前記電源装置を背面側に配設し、前記発光体を前記コネクタが前記電源装置側に位置するようにして前面側に配設している器具本体と；
前記ＬＥＤ素子の放射光が外部空間に出射するように前記器具本体に取り付けられた透光性のカバーと；
を具備していることを特徴とする照明器具。
【請求項３】
前記器具本体は、照射開口を有するケースを備え、このケースに前記照射開口から放射光が出射するように複数個の前記発光体を互いに離して収納しており、隣り合う前記発光体のコネクタ同士が前記ケースの側面から前記器具本体内に引き出されて配線されている接続線により接続されていることを特徴とする請求項２記載の照明器具。
【請求項４】
前記カバーは、前記ＬＥＤ素子の放射光が前記器具本体の下方側および前方側に出射するように形成されていることを特徴とする請求項１ないし３いずれか一記載の照明器具。
【発明の詳細な説明】
【技術分野】
【０００１】
本発明の実施形態は、光源としてのＬＥＤ素子を有する発光体を備える照明器具に関する。
【背景技術】
【０００２】
台所等に配設される照明器具としての流し元灯は、従来、光源として直管形蛍光ランプが使用されている。しかし、照明用ランプは、ＬＥＤ化されてきており、流し元灯においても、蛍光ランプに替えてＬＥＤランプを備えるものが提案されている（例えば特許文献１参照。）。しかしながら、蛍光ランプ代替用のＬＥＤランプは、標準化されてきているが、一般的な普及には至っていなく、当該普及には相応の期間を要するのが現状である。
【０００３】
また、当該ＬＥＤランプは、比較的高価に形成され、流し元灯をコストアップさせる。また、当該ＬＥＤランプは、相応の配設空間を要するので、流し元灯を小型化や薄型化させにくい。このため、光源として、複数個のＬＥＤ素子が長尺の基板上に直線状にかつ等間隔に配置されて構成された発光体（ＬＥＤモジュール）を用いた流し元灯（照明器具）が提案されている（例えば特許文献２参照。）。この発光体の基板は、器具本体の長手寸法に応じた細長の長尺に形成されている。
【先行技術文献】
【特許文献】
【０００４】
【特許文献１】特開２００４−３０９２９号公報（第７頁、第４図）
【特許文献２】特許第４７９８４９９号公報（第５頁、第１図）
【発明の概要】
【発明が解決しようとする課題】
【０００５】
細長の基板の両端側は、ＬＥＤ素子から放射された放射光の重なりが減少するので、器具本体の長手方向に亘って均一な照明光を照射できないおそれがある。また、基板が長尺になるほど、基板上に配線パターンやレジストなどの形成がしにくくなり、ＬＥＤ素子が実装しにくくなって、発光体が高価になるおそれがある。
【０００６】
そこで、比較的短い長尺の基板を有する発光体を長手方向に複数個並べているものがある。この場合、発光体同士を電気接続するコネクタにより、放射光にコネクタの影が発生し、発光体の間に照射むらなどが発生して、上記同様、器具本体の長手方向に亘って均一な照明光を照射できないことがある。
【０００７】
本実施形態は、薄型化、小型化が可能であって、放射光にコネクタの影が発生しにくく、器具本体の長手方向に亘って略均一な放射光を出射可能な照明器具を提供することを目的とする。
【課題を解決するための手段】
【０００８】
本実施形態の照明器具は、発光体、電源装置、器具本体およびカバーを有して構成される。
【０００９】
発光体は、長形の基板、複数個のＬＥＤ素子および複数個のコネクタを有して形成される。
【００１０】
ＬＥＤ素子は、基板の一面側に基板の長手方向に直列接続されて実装されている。また、ＬＥＤ素子は、基板の長手方向の両端側における間隔が基板の長手方向の中央側における間隔よりも小さくなるように配置されている。
【００１１】
コネクタは、基板の一面側において、直列接続されたＬＥＤ素子の両端のそれぞれのＬＥＤ素子にそれぞれ接続されている。また、コネクタは、基板の長手方向の両端側におけるＬＥＤ素子間であって基板の短手方向のＬＥＤ素子よりも端側に配設されているものである。
【００１２】
電源装置は、ＬＥＤ素子に電力を供給してＬＥＤ素子を点灯するように形成されている。電源装置の出力側は、リード線を介して発光体のコネクタに接続されている。
【００１３】
器具本体は、発光体および電源装置を収納している。そして、器具本体は、電源装置を背面側に配設し、発光体をコネクタが電源装置側に位置するようにして前面側に配設している。
【００１４】
カバーは、透光性を有し、ＬＥＤ素子の放射光が外部空間に出射するように器具本体に取り付けられている。
【発明の効果】
【００１５】
本実施形態の照明器具によれば、ＬＥＤ素子は、基板の長手方向の両端側における間隔が基板の長手方向の中央側における間隔よりも小さくなるように配置されているので、基板の長手方向の両端側においてＬＥＤ素子から放射された放射光が互いに重なり合うようになって、基板の長手方向の両端側における放射光の低下が抑制され、発光体は、そのコネクタがＬＥＤ素子間であって器具本体の背面側に配設された電源装置側に位置するように前面側に配設されているので、器具本体の下方側および前方側に放射される発光体の放射光がコネクタにより遮られることなく器具本体の外部空間側に出射され、これにより、放射光にコネクタの影が発生しにくく、器具本体の長手方向に亘って略均一な放射光が外部空間に出射されることが期待できる。
【図面の簡単な説明】
【００１６】
【図１】本発明の第１の実施形態を示す照明器具の概略斜視図である。
【図２】同じく、照明器具のカバーを取り外した状態の概略横断面図である。
【図３】同じく、照明器具の概略側断面図である。
【図４】同じく、照明器具の配線図である。
【図５】本発明の第２の実施形態を示す照明器具のカバーを取り外した状態の概略横断面図である。
【発明を実施するための形態】
【００１７】
以下、本発明の一実施の形態について、図面を参照して説明する。まず、本発明の第１の実施形態について説明する。
【００１８】
本実施形態の照明器具１は、台所等に配設される流し元灯であり、図３に示すように、発光体２、器具本体３、電源装置４およびカバー５を有して構成されている。
【００１９】
発光体２は、基板６、ＬＥＤ素子７およびコネクタ８を有して形成されている。基板６は、高熱伝導率を有する金属板例えばアルミニウム（Ａｌ）板からなり、長形であって、４角が面取りされた長方形に形成されている。そして、その一面側６ａに図示しない絶縁層を介してＬＥＤ素子７を実装している。
【００２０】
ＬＥＤ素子７は、例えばＳＭＤ（Surface  Mount  Device）形であり、可視光例えば白色光を放射するように形成され、図示しない接着材又ははんだにより基板６の絶縁層上に固定されている。そして、ＬＥＤ素子７は、図２に示すように、その複数個が基板６の長手方向に実装されているとともに、基板６に形成された図示しない配線パターンにより直列接続されている。また、ＬＥＤ素子７は、基板６の短手方向の中央よりも幾分一端側６ｄに実装されている。
【００２１】
また、ＬＥＤ素子７は、基板６の長手方向の中央側から両端側６ｂ，６ｃに向かうにつれ、ＬＥＤ素子７，７の間隔Ｌ１〜Ｌ４が次第に小さくなるように配置されている。すなわち、ＬＥＤ素子７は、基板６の長手方向の両端側６ｂ，６ｃにおける間隔Ｌ１が基板６の長手方向の中央側における間隔Ｌ４よりも小さくなるように配置されている。本実施形態では、例えば、基板６は、長手寸法８２ｍｍ、短手寸法１１．５ｍｍであり、ＬＥＤ素子７，７の間隔Ｌ１〜Ｌ４は、Ｌ１が８ｍｍ、Ｌ２が８．７５ｍｍ、Ｌ３が１４．７５ｍｍ、Ｌ４が１５ｍｍとなっている。
【００２２】
なお、ＬＥＤ素子７，７の各間隔は、発光体１の長手方向で略均一な放射光が得られるように、基板６の大きさやＬＥＤ素子７の実装数などに応じて適宜設定されればよい。また、基板６は、長方形に限定されるものではなく、複数個のＬＥＤ素子７を実装可能な長形に形成されていればよく、その外形などの形状は問わない。
【００２３】
コネクタ８は、ＬＥＤ素子７が実装されている基板６の一面側６ａに配設されている。また、コネクタ８は、基板６の長手方向の両端側６ｂ，６ｃであって、ＬＥＤ素子７，７間かつ基板６の短手方向のＬＥＤ素子７よりも端側としての他端側６ｅにそれぞれ配設されている。ここで、コネクタ８は、ＬＥＤ素子７，７の中間に配設されているのが好ましい。そして、コネクタ８は、直列接続されているＬＥＤ素子７の両端（最端）のそれぞれのＬＥＤ素子７に図示しない配線パターンによりそれぞれ電気接続されている。すなわち、複数個のＬＥＤ素子７および複数個のコネクタ８は、基板６の一面側６ａにおいて電気的に直列接続されている。また、基板６の両端側６ｂ，６ｃのコネクタ８，８同士は、別の配線パターンにより電気接続されている。
【００２４】
発光体２は、図３に示すように、取付け体９に収納されている。取付け体９は、発光体２からの放射光が出射する長方形の照射開口１０、外方に突出する鍔部１１ａ，１１ａおよび側部１１ｂ，１１ｂを有する長形の箱状に形成され、高熱伝導率を有する金属板例えばアルミニウム（Ａｌ）板の折曲等により形成されている。発光体２は、その基板６が取付け体９の底板１２に取り付けられている。また、発光体２は、ＬＥＤ素子７が底板１２の短手方向のほぼ中央に位置するように取り付けられている。
【００２５】
基板６は、図２に示すように、その長手方向に複数個の取付孔１３が設けられている。基板６は、図示しないねじが取付孔１３から底板１２にねじ止めされている。そして、発光体２は、複数個からなり、底板１２の長手方向に沿って互いに離れて配設されている。本実施形態では、２個の発光体２が配設されている。そして、２個の発光体２の隣り合うコネクタ８，８同士は、コネクタ８に装着する図示しない被コネクタを有する接続線１４により電気接続されている。また、一方の発光体２の一端側６ｂのコネクタ８は、図示しないリード線（出力線）により電源装置４に接続され、他方の発光体２の他端側６ｃのコネクタ８は、図示しないジャンパー線により端子間が短絡されている。すなわち、一方の発光体２の一端側６ｂのコネクタ８において、２個の発光体２のＬＥＤ素子７は直列接続されている。
【００２６】
図３において、取付け体９の鍔部１１ａ，１１ａには、照射開口１０を覆うとともに取付け体９内を略閉塞するように、細長の長方形に形成されたカバー板１５が設けられている。このカバー板１５は、例えばアクリル樹脂からなり、拡散板に形成されている。そして、取付け体９およびカバー板１５は、箱状に形成されたケース１６に収納されて、図示しない固定手段により固定されている。
【００２７】
ケース１６は、例えばアルミ合金により形成され、図２に示すように、その長手方向の両端側に取付け板１７，１７が突出形成されている。この取付け板１７，１７にそれぞれ固定孔１８が設けられている。ケース１６は、固定孔１８，１８を介して図示しないねじにより器具本体３に取り付けられている。なお、図２において、カバー板１５は、省略している。
【００２８】
そして、取付け体９の鍔部１１ａおよび側部１１ｂは、コネクタ８に正対する部位が切り欠きされて切り欠き部９ａに形成されている。また、同じく、ケース１６の側面１６ａも切り欠きされて切り欠き部１６ｂに形成されている。
【００２９】
そして、接続線１４は、取付け体９の切り欠き部９ａおよびケース１６の切り欠き部１６ｂを通ってケース１６の側面１６ａからケース１６の外側の器具本体３内に引き出されて配線されている。
【００３０】
図３において、器具本体３は、細長の長尺形に形成された上面板１９およびこの上面板１９の他端側１９ｂの後端から垂下している背面板２０を有し、さらに上面板１９の一端側１９ａの前端から垂下している前面板２１および背面板２０の下端側２０ｂの下端から上面板１９に正対するように突出している下面板２２を有して形成されている。前面板２１は、背面板２０の上端側２０ａに正対するとともに、小寸法の垂下長を有するように形成されている。また、下面板２２は、上面板１９の他端側１９ｂに正対するとともに、小寸法の突出長を有するように形成されている。前面板２１および下面板２２の間は、開口２３となっている。器具本体３は、例えば板厚０．４ｍｍのカラー鋼板により形成されている。
【００３１】
ケース１６は、上面板１９の一端側１９ａの内側に上面板１９の長手方向に沿って配設されている。このとき、ケース１６は、発光体２のコネクタ８が背面板２１側に位置するように配設されている。また、前面板２１は、ケース１６から下方側に突出しないように、その垂下長が設定されている。
【００３２】
そして、器具本体３の長手方向の両端側には、図１に示すように、それぞれ端板２４，２４が配設されている。端板２４は、例えばＡＥＳ樹脂からなり、器具本体３の外周に沿う有底の略長方形筒状に形成されている。端板２４，２４は、器具本体３の長手方向の両端側にそれぞれ嵌め込まれて、図示しない取付け手段により器具本体３に取り付けられている。
【００３３】
そして、器具本体３の下面板２２には、スイッチ２５およびコンセント２６が配設されている。また、背面板２０には、器具本体３を鉛直方向に立設している鉛直壁に取り付けるための複数個の取付け穴２７が設けられている。また、上面板１９には、図２に示すように、器具本体３を水平壁に取り付けるための形状の異なる複数個の取付け穴２８が設けられている。
【００３４】
また、背面板２０には、端子台２９および電源装置４が取り付けられている。端子台２９および電源装置４は、図３に示すように、上面板１９の他端側１９ｂの内側に配設されている。端子台２９には、外部の商用交流電源に接続されている図示しない電源線が接続されている。
【００３５】
こうして、器具本体３は、２個の発光体２および電源装置４を収納して、電源装置４を背面側である背面板２０側に配設し、発光体２を前面側である前面板２１側に配設しているとともにコネクタ８を電源装置４側に位置させている。
【００３６】
そして、端子台２９は、図４に示すように、電源装置４の入力端子に、スイッチ２５およびコンセント２６を介してリード線３０により接続されている。コンセント２６には、端子台２９に印加される商用交流電源が入力される。スイッチ２５は、電源装置４への商用交流電源の入力をオンオフする。
【００３７】
電源装置４は、その出力側が被コネクタ３１を有するリード線（出力線）３２により発光体２に電気接続されている。すなわち、リード線３２の被コネクタ３１が一方の発光体２の基板６の一端側６ｂのコネクタ８に装着されている。２個の発光体２，２同士は、両端に被コネクタ３３，３３を有する接続線１４により電気接続されている。すなわち、一方の基板６の他端側６ｂのコネクタ８および他方の基板６の一端側６ａのコネクタ８に、接続線１４の被コネクタ３３，３３がそれぞれ接続されている。そして、電源装置４は、２個の発光体２，２のＬＥＤ素子７に電力を供給してＬＥＤ素子７を点灯する既知の構成により形成されている。電源装置４のリード線３２は、図２において、取付け体９の切り欠き部９ａおよびケース１６の切り欠き部１６ｂを通ってケース１６の側面１６ａからケース１６の内側に引き込まれて、一方の発光体１のコネクタ８に接続されている。
【００３８】
図３において、カバー５は、セードとも称されるものであり、例えば透光性のポリスチレン樹脂からなり、その短手方向で略弓状に湾曲し、器具本体３の長手方向に沿う長形に形成されているとともに、短手方向の両側に長手方向に沿う係止片３４，３５がそれぞれ設けられている。カバー５は、当該係止片３４，３５が器具本体３の下面板２２の被係止片３６および前面板２１の被係止片３７にそれぞれ係止して器具本体３に取り付けられている。また、カバー５は、その長手方向の両端側が器具本体３とともに側板２４，２４に嵌め込まれて、側板２４，２４により挟持されている。これにより、カバー５は、器具本体３の開口２３を閉塞している。こうして、カバー５は、発光体２のＬＥＤ素子７の放射光が器具本体３の外部空間に出射するように、器具本体３に取り付けられている。
【００３９】
先述したように、ケース１６は、器具本体３の上面板１９の一端側１９ａの内側に配設され、前面板２１がケース１６よりも下方側に突出しないように形成され、下面板２２が上面板１９の他端側１９ｂに正対するように形成されている。したがって、ケース１６からのＬＥＤ素子７の放射光は、直接的にカバー５に入射し、カバー５を透過して外部空間に出射される。そして、当該出射光は、器具本体３の下方側および前方側に出射する。すなわち、カバー５は、ＬＥＤ素子７の放射光が器具本体３の下方側および前方側に出射するように形成されている。ここで、下方側とは、上面板１９から下面板２２の方向を示し、前方側とは、背面板２０から前面板２１の方向を示す。
【００４０】
次に、第１の実施形態の作用について述べる。
【００４１】
器具本体３の下面板２２に設けられたスイッチ２５をオンすると、外部の商用交流電源が端子台２９を介して電源装置４に供給される。電源装置４は、動作して所定の電力（電流）を発光体２のＬＥＤ素子７に供給する。ＬＥＤ素子７は、点灯し、可視光例えば白色光を放射する。
【００４２】
ＬＥＤ素子７の放射光は、ケース１６のカバー板１５で光拡散される。そして、光拡散された放射光は、カバー５に入射し、カバー５を透過して器具本体３の下方側および前方側のそれぞれの外部空間に出射される。これにより、器具本体３の下方側の外部空間および前方側の外部空間が照明され、広範囲の外部空間が照明される。
【００４３】
そして、ＬＥＤ素子７は、基板６の長手方向に配設され、基板６の長手方向の両端側６ｂ，６ｃにおける間隔Ｌ１が基板６の長手方向の中央側における間隔Ｌ４よりも小さくなるように配置されている。したがって、基板６の長手方向の両端側６ｂ，６ｃにおいて、ＬＥＤ素子７から放射された放射光は、互いに重なり合うようになる。これにより、発光体２は、その基板６の長手方向に亘って基板６から均一な放射光が放射されるようになる。
【００４４】
また、２個の発光体２が互いに離れて配設されていても、発光体２，２間の空間には、一方の基板６の一端側６ｂおよび他方の基板６の他端側６ｃのそれぞれのＬＥＤ素子７から放射された放射光が互いに重なり合うようになる。これにより、２個の発光体２の長手方向に亘って均一な放射光が放射され、器具本体３の長手方向に亘ってカバー５から均一な放射光が出射される。
【００４５】
そして、発光体２のコネクタ８は、ＬＥＤ素子７，７間であって、基板６の短手方向のＬＥＤ素子７よりも端側としての他端側６ｅに配設され、発光体２は、コネクタ８が器具本体３の背面板２０側（電源装置４側）に位置するように上面板１９の前面側に配設されている。したがって、ＬＥＤ素子７から放射されて、基板６の長手方向、器具本体３の下方側および前方側に向かうそれぞれの放射光は、コネクタ８により遮られない。また、コネクタ８がＬＥＤ素子７，７間に位置してＬＥＤ素子７から離れていることにより、コネクタ８に入射するＬＥＤ素子７からの放射光が拡散（乱反射）される。これにより、器具本体３の下方側および前方側に出射される放射光にコネクタ８の影が発生することが防止されるとともに、器具本体３の長手方向に亘って均一な出射光が得られるようになる。
【００４６】
また、２個の発光体２，２同士を電気接続している接続線１４は、ケース１６の側面１６ａからケース１６の外側の器具本体３内に引き出して配線しているので、上述のコネクタ８のときと同様に、ＬＥＤ素子７から放射された放射光に接続線１４の影が発生することが防止される。
【００４７】
本実施形態の照明器具１によれば、ＬＥＤ素子７は、基板６の長手方向の両端側６ｂ，６ｃにおける間隔Ｌ１が基板６の長手方向の中央側における間隔Ｌ４よりも小さくなるように配置されているので、基板６の長手方向の両端側６ｂ，６ｃにおいて発光体２の放射光が互いに重なり合うようになり、基板６の長手方向の両端側６ｂ，６ｃにおける発光体２からの放射光の低下が抑制され、発光体２は、そのコネクタ８がＬＥＤ素子７，７間であって器具本体３の背面板２０側に位置するように上面板１９の前面側に配設されているので、器具本体３の下方側および前方側に出射される発光体３の放射光がコネクタ８により遮られることなく外部空間に出射され、これにより、放射光にコネクタ８の影を発生しにくくすることができ、器具本体３の長手方向に亘って略均一な放射光を出射することができるという効果を有する。
【００４８】
そして、器具本体３は、光源として配設空間が小さい発光体２を配設しているので、器具本体３を薄型化や小型化することが可能であり、これにより、照明器具１を薄型化や小型化することができるという効果を有する。
【００４９】
また、複数個の発光体２は、器具本体３の上面板１９に互いに離れて配設され、発光体２の隣り合うコネクタ８，８同士が接続線１４により電気接続されているので、器具本体３の長手方向に亘って均一な放射光を出射することができる状態で、発光体２の長手寸法を小さくすることができて、発光体２を安価に形成することができ、これにより、照明器具１を安価に形成することができるという効果を有する。
【００５０】
また、発光体２，２同士を電気接続する接続線１４は、ケース１６の側面１６ａからケース１６の外側の器具本体３内に引き出されて配線されているので、ＬＥＤ素子７から放射された放射光に接続線１４の影が発生することを防止できるとともに、ケース１６などの意匠性を向上できるという効果を有する。
【００５１】
また、器具本体３の下方側および前方側に開口２３が形成されて、カバー５は、ＬＥＤ素子７の放射光が器具本体３の下方側および前方側に出射するように形成されているので、器具本体３の広範囲の外部空間を均一な明るさで照明できるという効果を有する。
【００５２】
次に、本発明の第２の実施形態について説明する。
【００５３】
図５は、本実施形態を示す照明器具４１のカバー５を取り外した状態の概略横断面図である。なお、図２と同一部分には同一符号を付して説明は省略する。
【００５４】
照明器具４１は、図２に示す照明器具１において、２個の発光体２を１個の発光体４２に構成したものである。すなわち、照明器具４１は、発光体４２を除く他の構成が照明器具１と同一となっている。
【００５５】
発光体４２は、長尺の基板４３、複数個のＬＥＤ素子７および１個のコネクタ８を有して形成されている。基板４３は、長尺の長方形に形成され、その長手寸法が異なる以外、図２に示す基板２と同様に形成されている。
【００５６】
ＬＥＤ素子７は、基板４３の一面側４３ａに基板４３の長手方向に沿って実装され、基板４３の一面側４３ａに形成された図示しない配線パターンにより直列接続されている。また、ＬＥＤ素子７は、基板４３の短手方向の中央よりも幾分一端側４３ｄに実装されている。
【００５７】
また、ＬＥＤ素子７は、基板４３の長手方向における間隔が異なるように配置されている。すなわち、ＬＥＤ素子７は、基板４３の長手方向の両端側４３ｂ，４３ｃにおける間隔Ｓ１と、基板４３の長手方向の中央側４３ｆにおける間隔Ｓ３とが、両端側４３ｂ，４３ｃおよび中央側４３ｆの中間側４３ｇ，４３ｇにおける間隔Ｓ２よりも小さくなるように配置されているとともに、中間側４３ｇ，４３ｇから両端側４３ｂ，４３ｃおよび中央側４３ｆに向かうにつれてＬＥＤ素子７，７の間隔が次第に小さくなるように配置されている。また、本実施形態では、中央側４３ｆにおける間隔Ｓ３は、両端側４３ｂ，４３ｃにおける間隔Ｓ１，Ｓ１よりも若干小さく設定している。
【００５８】
なお、ＬＥＤ素子７，７の各間隔は、発光体４１の長手方向で略均一の放射光又は所望の放射光が得られるように、基板４３の大きさやＬＥＤ素子７の実装数などに応じて適宜設定されればよい。また、基板４３は、長尺の長方形に限定されるものではなく、複数個のＬＥＤ素子７を実装可能な長形に形成されていればよく、その外形などの形状は問わない。
【００５９】
コネクタ８は、ＬＥＤ素子７が実装されている基板４３の一面側４３ａに配設されて、直列接続されているＬＥＤ素子７の両端（最端）のそれぞれのＬＥＤ素子７に図示しない配線パターンにより電気接続されている。
【００６０】
そして、コネクタ８は、ＬＥＤ素子７，７の間隔が相対的に小さいＬＥＤ素子７，７間、ここでは、基板４３の長手方向の中央側４３ｆにおける間隔Ｓ３となっているＬＥＤ素子７，７間であって、基板４３の短手方向のＬＥＤ素子７よりも端側としての他端側４３ｅに配設されている。
【００６１】
そして、コネクタ８に正対する取付け体９の鍔部１１ａおよび図示しない側部１１ｂの部位は、切り欠きされて切り欠き部９ａに形成されて、同じく、ケース１６の図示しない側面１６ａの部位も切り欠きされて切り欠き部１６ｂに形成されている。そして、コネクタ８には、電源装置４の図示しないリード線３２が接続されている。リード線３２は、取付け体９の切り欠き部９ａおよびケース１６の切り欠き部１６ｂを通ってケース１６の側面１６ａからケース１６の内側に引き込まれている。
【００６２】
次に、第２の実施形態の作用について述べる。
【００６３】
器具本体３のスイッチ２５をオンすると、外部の商用交流電源が電源装置４に供給される。電源装置４は、動作して所定の電力（電流）をリード線３２により発光体４２のコネクタ８に供給する。ＬＥＤ素子７は、所定の電流が流れて点灯し、可視光例えば白色光を放射する。ＬＥＤ素子７の放射光は、器具本体３の下方側および前方側のそれぞれの外部空間に出射される。
【００６４】
そして、ＬＥＤ素子７は、基板４３の長手方向の両端側４３ｂ，４３ｃにおける間隔Ｓ１，Ｓ１および中央側４３ｆにおける間隔Ｓ３が両端側４３ｂ，４３ｃおよび中央側４３ｆの中間側４３ｇ，４３ｇにおける間隔Ｓ２，Ｓ２よりも小さくなるように配置されている。ここで、中間側４３ｇ，４３ｇのＬＥＤ素子７，７の間隔Ｓ２，Ｓ２が相対的に大きくても、中間側４３ｇ，４３ｇには、一端側４３ｂまたは他端側４３ｃのＬＥＤ素子７からの広がり光と、中央側４３ｆのＬＥＤ素子７からの広がり光とが重なる。したがって、発光体４２は、その基板４３の長手方向に亘って基板４３から略均一な放射光が放射されるようになる。
【００６５】
そして、発光体４２のコネクタ８は、ＬＥＤ素子７，７間であって、基板４３の短手方向のＬＥＤ素子７よりも端側としての他端側４３ｅに配設され、発光体４２は、コネクタ８が器具本体３の背面板２０側（電源装置４側）に位置するように上面板１９の前面側に配設されている。したがって、コネクタ８がＬＥＤ素子７，７の間隔のうち、相対的に小さい間隔Ｓ３であるＬＥＤ素子７，７間に配置されていても、ＬＥＤ素子７から放射されて、基板４３の長手方向、器具本体３の下方側および前方側に向かうそれぞれの放射光は、コネクタ８により遮られない。また、コネクタ８は、ＬＥＤ素子７，７間に配置され、ＬＥＤ素子７と離れているので、反射光を拡散（乱反射）させやすい。これにより、器具本体３の下方側および前方側に出射される放射光にコネクタ８の影が発生することが抑制される。
【００６６】
また、電源装置４のリード線３２は、ケース１６の側面１６ａからケース１６の内に引き込まれてコネクタ８に接続されているので、ＬＥＤ素子７から放射された放射光にリード線３２の影が発生することが防止される。
【００６７】
本実施形態の照明器具４１によれば、ＬＥＤ素子７は、基板４３の長手方向における間隔Ｓ１〜Ｓ３が異なるように配置され、コネクタ８は、間隔の相対的に小さいＬＥＤ素子７，７間であって基板４３の短手方向のＬＥＤ素子７よりも他端側４３ｅに配設され、発光体４２は、コネクタ８が電源装置４側に位置するように器具本体３の上面板１９の前面側に配設されているので、器具本体３の下方側および前方側に出射される発光体４２の放射光がコネクタ８により遮られることなく外部空間に出射され、また、コネクタ８による反射光が拡散（乱反射）されて外部空間に出射され、これにより、放射光にコネクタ８の影を発生しにくくすることができるとともに、器具本体３の長手方向に亘って略均一な放射光を出射することができるという効果を有する。
【００６８】
なお、第１および第２の実施形態において、照明器具１，４１として流し元灯で説明したが、これに限らず、建物などの壁に設置される壁灯、天井などの造営物に直付けされる直付け照明器具や吊り下げられる吊下げ照明器具などであってもよい。
【符号の説明】
【００６９】
１，４１…照明器具としての流し元灯、  ２、４２…発光体、  ３…器具本体、  ４…電源装置、  ５…カバー、  ６，４３…基板、  ７…ＬＥＤ素子、  ８…コネクタ、  １４…接続線、  １６…ケース
【図１】
2013143215.tif 000003
【図２】
2013143215.tif 000004
【図３】
2013143215.tif 000005
【図４】
2013143215.tif 000006
【図５】
2013143215.tif 000007